(57)【要約】【課題】  登録者の位置情報を簡便に提供することが可能なシステムを提供する。【解決手段】  本発明の第１の位置検出システムは、所定エリアにおける対象者の画像情報を取得する画像情報取得手段と、登録者の認証用画像情報を記憶する記憶手段と、前記画像情報と前記認証用画像情報とを照合する画像情報照合手段と、前記対象者の位置情報を取得する位置情報取得手段と、前記対象者の位置情報を記憶する位置情報記憶手段と、前記対象者の位置情報を出力する出力手段と、を備え、前記画像情報照合手段において、前記対象者が前記登録者であると判定されたときは、前記出力手段は、前記対象者の位置情報を出力することを特徴とする。【選択図】  図１
2018005278.tif 000002
【特許請求の範囲】
【請求項１】
所定エリアにおける対象者の画像情報を取得する画像情報取得手段と、
登録者の認証用画像情報を記憶する記憶手段と、
前記画像情報と前記認証用画像情報とを照合する画像情報照合手段と、
前記対象者の位置情報を取得する位置情報取得手段と、
前記対象者の位置情報を記憶する位置情報記憶手段と、
前記対象者の位置情報を出力する出力手段と、
を備え、
前記画像情報照合手段において、前記対象者が前記登録者であると判定されたときは、
前記出力手段は、前記対象者の位置情報を出力することを特徴とする位置検出システム。
【請求項２】
前記画像情報が、顔画像の情報および身体画像の情報の少なくとも一方である、請求項１記載の位置検出システム。
【請求項３】
前記画像情報取得手段が、複数の所定エリアにおける前記対象者の画像情報を取得する手段である、請求項１または２記載の位置検出システム。
【請求項４】
前記画像情報取得手段が、前記所定エリアにおける経時的な前記対象者の画像情報を取得する手段である、請求項１から３のいずれか一項に記載の位置検出システム。
【請求項５】
さらに、前記対象者の位置情報を分析する分析手段を備え、
前記出力手段が、前記分析結果を出力する、請求項１から４のいずれか一項に記載の位置検出システム。
【請求項６】
前記分析手段において、前記対象者の位置情報が所定条件をみたすと判定されたときは、
前記出力手段は、アラートを出力する、請求項５記載の位置検出システム。
【請求項７】
前記記憶手段において、複数の登録者の認証用画像情報と、前記複数の登録者の所定位置の通過順序情報とを記憶し、
さらに、複数の対象者の画像情報の取得順序を分析する分析手段を備え、
前記画像情報照合手段において、前記複数の対象者が、前記各登録者であると判断されたときは、前記分析手段は、前記複数の対象者の前記所定位置における画像情報の取得順序と、対応する前記複数の登録者の通過順序情報とを照合し、
前記分析手段において、前記取得順序が前記通過順序情報と異なると判断されたときは、
前記出力手段は、前記通過順序情報と異なる前記取得順序である対象者について、アラートを出力する、請求項１から６のいずれか一項に記載の位置検出システム。
【請求項８】
さらに、前記対象者の画像情報から、前記対象者の所定の操作を検出する操作検出手段を備え、
前記画像情報照合手段において、前記対象者が前記登録者であると判定され、且つ
前記操作検出手段により、前記対象者の所定の操作が検出されたとき、
前記出力手段は、前記対象者の画像情報を出力する、請求項１から７のいずれか一項に記載の位置検出システム。
【請求項９】
さらに、前記登録者の前記認証用画像情報を調整する画像情報調整手段を備え、
前記画像情報調整手段は、
前記認証用画像情報の登録時および取得時のいずれか一方における前記登録者の年齢と、現在の前記登録者の年齢とから、前記認証用画像情報の変化を予測し、前記変化を基に、前記登録者の前記認証用画像情報を調整する、請求項１から８のいずれか一項に記載の位置検出システム。
【請求項１０】
所定エリアにおける対象者の画像情報を取得する画像情報取得手段と、
登録者の認証用画像情報を記憶する記憶手段と、
前記画像情報と前記認証用画像情報とを照合する画像情報照合手段と、
前記対象者の位置情報を取得する位置情報取得手段と、
スタンプ情報を出力する出力手段と、
を備え、
前記画像情報照合手段において、前記対象者が前記登録者であると判定され、且つ、前記位置情報取得手段において、前記対象者の位置情報が取得されたときは、
前記出力手段は、前記位置情報が示す所定エリアのスタンプ情報を出力することを特徴とする位置検出システム。
【発明の詳細な説明】
【技術分野】
【０００１】
本発明は、位置検出システムに関する。
【背景技術】
【０００２】
近年、認知症等により行方不明となる人が増加し、問題となっている。
【発明の概要】
【発明が解決しようとする課題】
【０００３】
行方不明となった人が携帯電話、ＧＰＳ端末等を所持していない場合、行方不明者の捜索は困難である。
【０００４】
本発明は、例えば、探している相手の位置情報を簡便に提供することが可能なシステムの提供を目的とする。
【課題を解決するための手段】
【０００５】
前記目的を達成するために、本発明の第１の位置検出システムは、
所定エリアにおける対象者の画像情報を取得する画像情報取得手段と、
登録者の認証用画像情報を記憶する記憶手段と、
前記画像情報と前記認証用画像情報とを照合する画像情報照合手段と、
前記対象者の位置情報を取得する位置情報取得手段と、
前記対象者の位置情報を記憶する位置情報記憶手段と、
前記対象者の位置情報を出力する出力手段と、
を備え、
前記画像情報照合手段において、前記対象者が前記登録者であると判定されたときは、
前記出力手段は、前記対象者の位置情報を出力することを特徴とする。
【０００６】
本発明の第２の位置検出システムは、
所定エリアにおける対象者の画像情報を取得する画像情報取得手段と、
登録者の認証用画像情報を記憶する記憶手段と、
前記画像情報と前記認証用画像情報とを照合する画像情報照合手段と、
前記対象者の位置情報を取得する位置情報取得手段と、
スタンプ情報を出力する出力手段と、
を備え、
前記画像情報照合手段において、前記対象者が前記登録者であると判定され、且つ、前記位置情報取得手段において、前記対象者の位置情報が取得されたときは、
前記出力手段は、前記位置情報が示す所定エリアのスタンプ情報を出力することを特徴とする。
【発明の効果】
【０００７】
本発明の位置検出システムによれば、例えば、探している相手の位置情報を簡便に提供することが可能である。
【図面の簡単な説明】
【０００８】
【図１】図１は、本発明の位置検出システムの構成の一例を示す模式図である。
【発明を実施するための形態】
【０００９】
＜第１の位置検出システム＞
本発明の第１の位置検出システムは、前述のように、所定エリアにおける対象者の画像情報（以下、対象者画像情報ともいう）を取得する画像情報取得手段と、登録者の認証用画像情報を記憶する記憶手段と、前記画像情報と前記認証用画像情報とを照合する画像情報照合手段と、前記対象者の位置情報（以下、対象者位置情報ともいう）を取得する位置情報取得手段と、前記対象者の位置情報を記憶する位置情報記憶手段と、前記対象者の位置情報を出力する出力手段と、を備え、前記画像情報照合手段において、前記対象者が前記登録者であると判定されたときは、前記出力手段は、前記対象者の位置情報を出力することを特徴とする。本発明の第１の位置検出システムにおいて、その他の構成および条件は、特に制限されない。
【００１０】
本発明の第１の位置検出システムによれば、画像認証を行うことで、例えば、探している相手の位置情報を簡便に提供することが可能である。
【００１１】
本発明の第１の位置検出システムは、例えば、前記画像情報が、顔画像の情報および身体画像の情報の少なくとも一方である。
【００１２】
本発明の第１の位置検出システムは、例えば、前記画像情報取得手段が、複数の所定エリアにおける前記対象者の画像情報を取得する手段である。
【００１３】
本発明の第１の位置検出システムは、例えば、前記画像情報取得手段が、前記所定エリアにおける経時的な前記対象者の画像情報を取得する手段である。
【００１４】
本発明の第１の位置検出システムは、例えば、さらに、前記対象者の位置情報を分析する分析手段を備え、
前記出力手段が、前記分析結果を出力する。
【００１５】
本発明の第１の位置検出システムは、例えば、前記分析手段において、前記対象者の位置情報が所定条件をみたすと判定されたときは、
前記出力手段は、アラートを出力する。
【００１６】
本発明の第１の位置検出システムは、例えば、前記記憶手段において、複数の登録者の認証用画像情報と、前記複数の登録者の所定位置の通過順序情報とを記憶し、
さらに、複数の対象者の画像情報の取得順序を分析する分析手段を備え、
前記画像情報照合手段において、前記複数の対象者が、前記各登録者であると判断されたときは、前記分析手段は、前記複数の対象者の前記所定位置における画像情報の取得順序と、対応する前記複数の登録者の通過順序情報とを照合し、
前記分析手段において、前記取得順序が前記通過順序情報と異なると判断されたときは、
前記出力手段は、前記通過順序情報と異なる前記取得順序である対象者について、アラートを出力する。
【００１７】
本発明の第１の位置検出システムは、例えば、さらに、前記対象者の画像情報から、前記対象者の所定の操作を検出する操作検出手段を備え、
前記画像情報照合手段において、前記対象者が前記登録者であると判定され、且つ
前記操作検出手段により、前記対象者の所定の操作が検出されたとき、
前記出力手段は、前記対象者の画像情報を出力する。
【００１８】
本発明の第１の位置検出システムは、例えば、さらに、前記登録者の前記認証用画像情報を調整する画像情報調整手段を備え、
前記画像情報調整手段は、
前記認証用画像情報の登録時および取得時のいずれか一方における前記登録者の年齢と、現在の前記登録者の年齢とから、前記認証用画像情報の変化を予測し、前記変化を基に、前記登録者の前記認証用画像情報を調整する。
【００１９】
以下、本発明の第１の位置検出システムについて、具体例をあげて説明する。ただし、本発明は、以下の説明に限定されない。
【００２０】
図１は、本発明の位置検出システムの構成の一例を示す模式図である。図示のように、本発明の位置検出システムにおいて、システム１は、画像情報取得手段１１、記憶手段１２、画像情報照合手段１３、位置情報取得手段１４、位置情報記憶手段１５、および出力手段１６を備える。図１に示すように、システム１において、例えば、画像情報照合手段１３は、画像情報取得手段１１、記憶手段１２、および出力手段１６と、位置情報記憶手段１５は、位置情報取得手段１４、および出力手段１６と、電気的に接続されている。
【００２１】
システム１は、例えば、端末とサーバとを含み、前記端末と前記サーバとは、システム外の通信回線網を介して、接続可能であってもよい。この場合、前記端末は、画像情報取得手段１１、位置情報取得手段１４および出力手段１６を含み、前記サーバは、記憶手段１２、画像情報照合手段１３および位置情報記憶手段１５を含んでもよい。前記端末は、例えば、携帯電話、スマートフォン、タブレット、ＰＣ（パーソナルコンピュータ）、デジタルサイネージ等があげられる。
【００２２】
画像情報取得手段１１は、前記対象者画像情報を取得する。画像情報取得手段１１は、例えば、カメラ、スキャナー等があげられる。また、画像情報取得手段１１が、例えば、カメラ等の撮像手段の場合、撮像により直接的に取得されてもよい。この場合、前記撮像は、例えば、自動的に行われてもよいし、前記対象者またはシステム１の使用者により行われてもよい。前記画像情報取得手段は、例えば、携帯電話、スマートフォン、タブレット、ＰＣ、デジタルサイネージ等の端末に搭載されてもよい。前記画像情報取得手段は、例えば、施設等の必要箇所に固定されてもよいし、使用者が携帯してもよい。画像は、例えば、静止画像でもよいし、動画でもよい。
【００２３】
前記画像情報は、例えば、画像そのものでもよいし、画像から抽出された情報でもよい。前記画像情報は、例えば、顔画像の情報でもよいし、身体画像の情報でもよい。前記身体画像の情報は、例えば、身体的特徴、服装である。
【００２４】
画像情報取得手段１１は、例えば、複数のエリアにおける前記対象者の画像情報を取得する手段であってもよい。また、画像情報取得手段１１は、例えば、エリア内の複数箇所における前記対象者の画像情報を取得する手段であってもよい。
【００２５】
画像情報取得手段１１は、例えば、前記所定エリアにおける経時的な前記対象者の画像情報を取得する手段であってもよい。
【００２６】
記憶手段１２は、前記登録者の認証用画像情報を記憶する。記憶手段１２は、特に制限されず、例えば、データベース、サーバ、ランダムアクセスメモリ（ＲＡＭ）、読み出し専用メモリ（ＲＯＭ）、ハードディスク（ＨＤ）、光ディスク、フロッピー（登録商標）ディスク（ＦＤ）等があげられる。
【００２７】
前記登録者の認証用画像情報は、例えば、記憶手段１２に、前記登録者により登録されてもよいし、前記システムの使用者により登録されてもよいし、その他の者により登録されてもよい。
【００２８】
前記登録者は、一人でもよいし、複数人でもよい。
【００２９】
画像情報照合手段１３は、前記対象者の画像情報と認証用画像情報とが一致するか否かを照合する。画像情報照合手段１３は、特に制限されず、例えば、中央処理装置（ＣＰＵ）等があげられる。前記対象者の画像情報と認証用画像情報との照合方法は、特に制限されず、例えば、前記画像情報が、顔画像の情報である場合、前記顔画像と前記認証用画像情報との類似度計算による方法、目、鼻もしくは口等の特徴点の距離の比、または前記特徴点を結んだ線の向き等の特徴量を用いる方法等、従来公知の顔認証方法を用いてよい。
【００３０】
位置情報取得手段１４は、前記対象者位置情報を取得する。位置情報取得手段１４は、特に制限されず、例えば、ＣＰＵである。前記対象者位置情報は、例えば、前記対象者画像情報を取得した画像情報取得手段１１に対応する位置情報であってもよいし、取得された画像情報を分析することにより、前記対象者位置情報を取得してもよい。前記位置情報は、例えば、エリアの名称でもよいし、ＧＰＳによる測位データでもよい。
【００３１】
位置情報記憶手段１５は、前記対象者位置情報を記憶する。位置情報記憶手段１５は、例えば、記憶手段１２と同様である。図１では、位置情報記憶手段１５と記憶手段１２とは異なっているが、位置情報記憶手段１５と記憶手段１２とは、例えば、共通のものでもよい。
【００３２】
出力手段１６は、前記画像情報照合手段において、前記対象者が前記登録者であると判定されたときは、前記対象者位置情報を出力する。出力手段１６は、特に制限されず、例えば、ＣＰＵである。出力手段１６は、例えば、通信回線網を介して、前記端末に、前記対象者位置情報を出力する。
【００３３】
システム１によれば、画像情報取得手段１１により、所定エリアにおける対象者の画像情報を取得し、画像情報照合手段１３により、前記対象者画像情報と、記憶手段１２に記憶された登録者の前記認証用画像情報との照合が行われる。そして、前記対象者が前記登録者であると判定されたときは、前記出力手段は、前記対象者の位置情報を出力する。
【００３４】
前記所定エリアは、特に制限されず、例えば、店舗（例えば、日用品店、書店、コンビニエンスストア、スーパーマーケット、デパート、ショッピングセンター、家電量販店、複合施設等）、施設（例えば、美術館、水族館、動物園、博物館、テーマパーク、イベント会場等）、病院、公共施設（例えば、公民館、役所、体育館等）、家（例えば、自宅等）、交通機関（例えば、鉄道駅、バス停、道の駅、サービスエリア等）、行政（例えば、警察等）、路上（例えば、商店街、マラソン大会会場等）、避難所、畜舎（例えば、牛舎等）があげられる。以下、具体例をあげて説明するが、これらには限定されない。
【００３５】
（１）第１形態：高齢者見守りシステム
本発明の第１の位置検出システムが、高齢者見守りシステムであり、前記登録者が高齢者である場合を例にあげて説明する。
【００３６】
前記所定エリアは、例えば、日用品店、公民館、役所、病院、自宅である。
【００３７】
前記所定エリアにおける前記画像情報取得手段の設置箇所は、例えば、前記所定エリアの出入口、前記所定エリア内である。後者は、例えば、レジ、受付である。
【００３８】
この場合、前記高齢者が前記所定エリアを訪問すると、前記所定エリアに設置されたカメラによって、前記高齢者の画像が撮影され、前記対象者画像情報として取得される。また、前記カメラの位置情報から、前記対象者位置情報が取得される。前記対象者画像情報および前記対象者位置情報は、サーバに送られ、前記対象者画像情報と、記憶された複数の前記登録者の画像情報との照合が行われる。前記対象者画像情報と一致する前記登録者の認証用画像情報が存在した場合、前記高齢者は、その登録者本人であると認証される。そして、前記高齢者の前記位置情報が出力される。前記出力先は、例えば、遠隔地に住む前記高齢者の親族が所持する携帯端末である。これにより、前記家族は、前記高齢者の行動を知ることができ、前記高齢者の見守りをすることができる。
【００３９】
前記画像情報取得手段は、例えば、前記所定エリアにおける経時的な前記対象者の画像情報を取得してもよい。これにより、前記所定エリアにおける、前記高齢者の経時的な位置情報を取得することができる。この場合、前記高齢者の経時的な位置情報が所定条件をみたすと判断されたときは、アラートが出力される。前記アラートの出力は、例えば、自治体に設置したデジタルサイネージ等における警告の表示、警告音の発生である。前記所定条件は、例えば、前記高齢者が２４時間以上認証されていない（例えば、位置情報が取得されない）等である。この条件をみたすときは、例えば、家から出ることができない、徘徊の可能性があるとして、アラートを出力することができる。前記高齢者の経時的な位置情報を取得することにより、例えば、体調の悪化および怪我をしていることの推測等も可能になる。これにより、自治体職員が家庭に連絡する等、前記高齢者の安否確認をすることができる。
【００４０】
また、前記分析手段が、経時的に取得された、複数の前記登録者の前記位置情報を分析してもよい。これにより、例えば、コミュニティバスおよび移動店舗等の運行の設定に役立てることができる。
【００４１】
前記所定エリアが前記高齢者の自宅である場合、前記位置情報取得手段は、さらに、画像認証により、前記対象者が前記登録者以外の者であると判断された場合に、前記対象者の位置情報を取得してもよい。これにより、前記高齢者以外の者が前記高齢者の自宅を訪問した場合に、前記訪問を記録することができ、例えば、悪質な訪問販売等を防ぐことができる。
【００４２】
（２）第２形態：行方不明者捜索システム
本発明の第１の位置検出システムが、行方不明者捜索システムであり、前記登録者が認知症患者、子供である場合を例にあげて説明する。
【００４３】
前記所定エリアは、例えば、ショッピングセンター、商店街、路上、コンビニエンスストア、駅である。
【００４４】
前記画像情報取得手段は、例えば、監視カメラである。
【００４５】
まず、行方不明になる可能性がある人の画像情報を、登録者の認証用画像情報として、警察、地方自治体、ＮＰＯ等における前記記憶手段に登録する。そして、前記登録者が行方不明になった場合、前記所定エリアにおける対象者の画像情報を取得し、前記対象者画像情報と前記認証用画像情報とを照合する。照合により、前記対象者が前記登録者であると判定されたときは、前記出力手段は、前記対象者の位置情報を出力する。これにより、前記行方不明者を捜索することができる。
【００４６】
前記認証用画像情報は、例えば、事前に前記登録者を撮影し、登録してもよいし、行方不明者の捜索時に持ち込んだ写真から取得してもよい。前記認証用画像情報は、例えば、前記認証用画像情報の登録時および取得時のいずれか一方における前記登録者の年齢と、現在の前記登録者の年齢とから、前記認証用画像情報の変化を予測し、前記変化を基に、前記登録者の前記認証用画像情報を調整してもよい。前記認証用画像情報の取得時とは、例えば、前記認証用画像情報の撮影時である。前記調整は、例えば、既知の方法により行うことができる。これにより、前記照合において、より現在の状態に近い認証用画像情報を使用することができ、判定の精度を向上させることができる。
【００４７】
本発明において、例えば、前記所定エリアに前記登録者がいた時刻についての情報を取得し、前記出力手段が、さらに、前記時刻情報を出力してもよい。これにより、前記行方不明者の捜索に役立てることができる。
【００４８】
本発明において、例えば、前記記憶手段が、さらに、前記登録者に関する情報を記憶し、照合により、前記対象者が前記登録者であると判定されたときは、前記出力手段が、さらに、前記登録者に関する情報を出力してもよい。これにより、前記登録者が警察等に保護された場合に、画像認証により、身元確認をすることができる。
【００４９】
（３）第３形態：呼び出しシステム
本発明の第１の位置検出システムが、順番待ちの際の呼び出しシステムであり、前記所定エリアが病院であり、前記登録者が患者である場合を例にあげて説明する。
【００５０】
本システムは、例えば、病院の他、順番待ちの際の呼び出しが行われる様々なエリアで使用することができる。
【００５１】
まず、順番待ちの際、受付等において、順番待ちをする患者の画像を撮影し、認証用画像情報を登録する。次に、前記患者の順番が来ると、病院内に設置されたカメラにより、病院内の順番待ちエリアの画像が撮影され、前記対象者画像情報が取得される。前記対象者画像情報は、サーバに送られ、前記認証用画像情報との照合が行われる。照合により、前記対象者が、前記登録者、すなわち、順番待ちをしている前記患者であると認証されると、前記患者の位置情報が、例えば、受付担当者の端末に出力される。これにより、受付担当者が、前記患者を見つけることができる。また、このようなシステムによれば、受付担当者が患者を見つけることができるため、例えば、受付の呼び出しの声が聞こえにくい人に対して、順番待ちをサポートすることができる。
【００５２】
（４）第４形態：居所表示システム
本発明の第１の位置検出システムが、居所表示システムであり、前記所定エリアが、イベント会場、テーマパーク、マラソン大会会場である場合を例にあげて説明する。
【００５３】
前記所定エリアにおける前記画像情報取得手段の設置箇所は、例えば、エリアの出入口、各アトラクションの入口、路上である。
【００５４】
まず、自分の居所を知らせたい人（被捜索人ともいう。）は、携帯端末のアプリケーション、前記エリア内に設置された端末等の操作により、自身の画像情報を、サーバに登録しておく。この際、前記画像情報に加え、前記被捜索人の名前情報も登録する。一方、前記被捜索人を見つけたい人（捜索人ともいう。）は、前記アプリケーション等により、前記被捜索人の名前情報を入力する。すると、前記名前情報と共に登録された前記被捜索人の画像情報が、前記認証用画像情報として設定される。そして、前記所定エリア内の画像から取得された対象者画像情報と、前記被捜索人の認証用画像情報との照合が行われる。照合により、前記対象者が、前記登録者、すなわち、前記被捜索人であると認証されると、前記被捜索人の位置情報がサーバに送られ、前記位置情報が、前記捜索人の操作する前記携帯端末等に出力される。これにより、例えば、捜索人が、被捜索人の画像情報を所持していなくても、前記被捜索人を見つけることができる。
【００５５】
（５）第５形態：避難所表示システム
本発明の第１の位置検出システムが、避難所表示システムであり、前記所定エリアが、避難所である場合を例にあげて説明する。
【００５６】
前記所定エリアにおける前記画像情報取得手段の設置箇所は、例えば、各避難所の出入口である。
【００５７】
まず、各避難所に設置されたデジタルサイネージ等により、システムの利用者は、探している人がいる場合、写真等により、探している人の画像情報を登録する（登録者の認証用画像情報）。そして、各避難所において対象者の画像情報が取得されると、前記対象者画像情報と前記認証用画像情報との照合が行われる。照合により、前記対象者画像情報と前記認証用画像情報とが一致する、すなわち、探している相手がいると認証されれば、前記利用者に対し、前記探している相手の位置情報が出力される。前記位置情報は、例えば、どの避難所であるかという情報である。これにより、システムの利用者は、探している相手の情報を得ることができる。前記出力される情報は、例えば、前記位置情報に加え、前記探している相手の前記画像情報が出力されてもよい。
【００５８】
なお、避難所表示システムにおいては、前述のように、探している人に、探されている人の位置情報を出力するのではなく、探されている人に、探している人の位置情報を出力する形態もあげられる。この場合、本発明の表示システムは、
所定エリアにおける対象者の画像情報を取得する画像情報取得手段と、
登録者の認証用画像情報と、前記登録者への位置情報の提示を希望する利用者の情報を記憶する記憶手段と、
前記画像情報と前記認証用画像情報とを照合する画像情報照合手段と、
前記対象者の位置情報を取得する位置情報取得手段と、
前記利用者の位置情報を出力する出力手段と、を備え、
前記画像情報照合手段において、前記対象者が前記登録者であると判定され、前記位置情報取得手段において、前記対象者の位置情報が取得されたときは、
前記出力手段は、前記利用者の情報に基づいて、前記利用者の位置情報を出力することを特徴とする。
【００５９】
この場合、まず、各避難所に設置されたデジタルサイネージ等により、システムの利用者は、探している人がいる場合、写真等により、探している人の画像情報を登録する（登録者の認証用画像情報）。また、前記利用者自身の画像情報と、前記利用者の位置情報についても登録する（利用者情報）。前記位置情報は、例えば、どの避難所であるかという情報である。前記対象者画像情報が取得されると、前記対象者画像情報と、前記認証用画像情報との照合が行われる。照合により、前記対象者画像情報と前記認証用画像情報とが一致する、すなわち、前記避難所の対象者を探している人がいると認証されれば、前記対象者に対し、前記探している人（利用者）の位置情報が出力される。これにより、システムの利用者は、探している相手に対して、自分が相手を探していること、自分の位置情報を提示することができる。前記出力される情報は、例えば、前記位置情報に加え、前記探している人（利用者）の前記画像情報が出力されてもよい。探されている側の視点に立つと、対象者として画像情報を登録することによって、前記画像情報と、他人によって登録された認証用画像情報との照合が行われ、自分を探している人の情報を得ることができる。
【００６０】
（６）第６形態：牛舎管理システム
本発明の第１の位置検出システムが、牛舎管理システムである場合を例にあげて説明する。
【００６１】
前記所定エリアは、例えば、牛舎であり、前記登録者は、例えば、牛舎で飼育されている牛である。
【００６２】
前記所定エリアにおける前記画像情報取得手段の設置箇所は、例えば、前記牛舎への牛の出入りを撮影可能な位置であればよく、例えば、前記所定エリアの出入口、前記所定エリア内である。
【００６３】
まず、前記所定エリアの牛舎で飼育されているそれぞれの牛について、画像情報を取得し、前記登録者の認証用画像情報として登録する。そして、対象者画像情報として、前記牛舎を出入りする牛の画像情報を取得する。照合により、前記対象者画像情報と前記認証用画像情報とが一致する、すなわち、前記牛舎を出入りする牛が前記登録された牛であると認証されれば、前記牛の位置情報が出力される。これにより、前記登録された牛の前記牛舎への出入りを簡便に管理することができる。
【００６４】
また、本発明のシステムによれば、複数の前記登録された牛の所定位置における画像情報の取得順序から、前記複数の牛が前記牛舎へ出入りする順序を取得することができる。ここで、牛が牛舎へ入る際、それぞれの牛が牛舎へ入る順序は、牛の習性から、基本的に毎回同じである。しかし、牛が、発情している、疾病である、体調が悪い等の場合、前記順序が乱れることがある。本発明のシステムによれば、前記複数の牛の前記画像情報の取得順序と、対応する前記複数の牛の、記憶された通過順序情報とを照合し、前記取得順序が前記通過順序情報と異なると判定されると、アラートを出力するため、前記牛の出入りの順序を簡便に管理することができる。そして、これによって、例えば、前記牛が、発情している、疾病である、体調が悪い等の判断をすることができる。
【００６５】
（７）第７形態：来場者分析システム
本発明の第１の位置検出システムが、来場者分析システムであり、前記対象者および前記登録者が、客、来場者、モニターである場合を例にあげて説明する。
【００６６】
前記所定エリアは、例えば、ショッピングモール、デパート、スーパー、アミューズメント施設、美術館、図書館、書店等である。
【００６７】
前記所定エリアにおける前記画像情報取得手段の設置箇所は、例えば、前記所定エリアの出入口、前記所定エリア内等である。前記設置箇所は、例えば、前記所定エリア内における、来場者分析を行いたいポイントである。
【００６８】
前記画像情報取得手段は、例えば、監視カメラである。
【００６９】
前記認証用画像情報の登録は、例えば、受付等で登録手続きをしてもよいし、前記画像情報取得手段により取得された前記画像情報を、そのまま前記認証用画像情報として用いてもよい。
【００７０】
本システムによれば、前記所定エリアにおける対象者画像情報と、前記認証用画像情報とを、所定期間ごとに照合する。これにより、前記所定エリアにおける前記登録者の位置情報を、所定期間ごとに得ることができる。このため、本システムによれば、前記所定エリアにおける前記登録者の行動のデータを得ることができる。前記行動は、例えば、前記所定エリア内での回遊、停留等である。これにより、例えば、前記所定エリア内における来場者の動線、頻繁に訪問されたポイント、ポイントごとの訪問者数、入退場時間等を、個人を特定して分析することができ、例えば、商品および展示物の配置、店舗配列、アミューズメント機器等の配置等の改善等に役立てることができる。
【００７１】
本システムによれば、例えば、ビーコンを利用した行動分析とは異なり、来場者へのアプリケーションの配布等の手間が不要である。また、本システムによれば、例えば、画像認証により、前記所定エリアへの来場が２回目以降である人について、初回来場時のデータと関連付けて分析をすることができる。
【００７２】
（８）第８形態：家電操作通知システム
本発明の第１の位置検出システムが、家電操作通知システムであり、前記登録者が家族である場合を例にあげて説明する。
【００７３】
前記家電は、例えば、冷蔵庫、ポット、テレビである。
【００７４】
前記画像情報取得手段は、例えば、前記家電に設置されたカメラである。
【００７５】
まず、前記家族の画像情報を、前記家電に設置されたカメラ等により取得し、前記認証用画像情報として登録する。そして、前記家電を利用すると、前記家電の利用者（対象者）の画像が前記カメラ等により撮影され、前記対象者画像情報として取得される。照合により、前記対象者が前記登録者であると判定され、且つ、前記対象者による所定の操作が検出されると、前対象者の画像情報が出力される。前記出力は、例えば、通信回線網を介して、前記登録者の家族が所持する携帯端末等にメールを送信する等でもよい。
【００７６】
＜第２の位置検出システム＞
本発明の第２の位置検出システムは、前述のように、所定エリアにおける対象者の画像情報を取得する画像情報取得手段と、登録者の認証用画像情報を記憶する記憶手段と、前記画像情報と前記認証用画像情報とを照合する画像情報照合手段と、前記対象者の位置情報を取得する位置情報取得手段と、スタンプ情報を出力する出力手段と、を備え、前記画像情報照合手段において、前記対象者が前記登録者であると判定され、且つ、前記位置情報取得手段において、前記対象者の位置情報が取得されたときは、前記出力手段は、前記位置情報が示す所定エリアのスタンプ情報を出力することを特徴とする。本発明の第２の位置検出システムにおいて、その他の構成および条件は、特に制限されない。
【００７７】
本発明の第２の位置検出システムによれば、画像情報の照合を行うことで、例えば、スタンプラリーのサービスを提供できる。
【００７８】
以下、本発明の第２の位置検出システムが、スタンプラリーシステムである場合を例にあげて、説明する。なお、本発明の第２の位置検出システムは、特に示さない限り、前記本発明の第１の位置検出システムの説明を援用できる。
【００７９】
前記所定エリアは、例えば、美術館、水族館、動物園、博物館、コンビニエンスストア、スーパーマーケット、ショッピングモール、道の駅、サービスエリア、鉄道、バスである。
【００８０】
前記認証用画像情報は、例えば、本システムの使用者（ユーザともいう。）の所持する携帯端末のカメラ等により取得される。
【００８１】
前記対象者画像情報は、例えば、本システムの使用者（ユーザともいう。）の所持する携帯端末のカメラ等により取得されてもよいし、前記所定エリアにおけるスタンプ台に設置されたカメラ等により取得されてもよい。
【００８２】
前記対象者画像情報の取得は、例えば、複数の前記所定エリアにおいて取得してもよいし、前記所定エリア内における複数箇所において取得してもよい。
【００８３】
本システムによれば、前記対象者画像情報と、前記認証用画像情報とが照合され、前記対象者が、前記登録者であると判定され、且つ、前記位置情報取得手段において、前記対象者の位置情報が取得されると、前記位置情報が示す所定エリアのスタンプ情報が出力される。
【００８４】
前記位置情報の取得は、例えば、前記対象者の所持する携帯端末のＧＰＳ情報を基に取得されてもよいし、前記対象者画像情報が前記スタンプ台に設置されたカメラ等により取得される場合、前記スタンプ台の位置情報としてもよい。前記出力は、例えば、前記対象者の所持する携帯端末のアプリケーション等に表示される。
【００８５】
前記スタンプ情報は、例えば、ユーザのアプリケーション等に保存されてもよい。これにより、例えば、ユーザは、複数の前記所定エリアに対応する複数の前記スタンプ情報を集めることができる。
【００８６】
前記スタンプ情報は、例えば、画像である。前記画像は、例えば、ユーザの画像情報を利用して作成された画像であってもよく、前記所定エリアが、美術館である場合、前記画像は、例えば、ユーザと似た顔の絵でもよく、前記所定エリアが、水族館である場合、前記画像は、例えば、ユーザと似た顔の魚でもよい。
【００８７】
以上、実施形態を参照して本発明を説明したが、本発明は、上記実施形態に限定されるものではない。本発明の構成や詳細には、本発明のスコープ内で当業者が理解しうる様々な変更をすることができる。
【産業上の利用可能性】
【００８８】
本発明の位置検出システムによれば、例えば、探したい相手が携帯電話、ＧＰＳ端末等を所持していない場合においても、簡便に相手の位置情報を取得できる。
【符号の説明】
【００８９】
１  システム
１１  画像情報取得手段
１２  記憶手段
１３  画像情報照合手段
１４  位置情報取得手段
１５  位置情報記憶手段
１６  出力手段
【図１】
2018005278.tif 000003